(57)【要約】      （修正有）【課題】マスクを使用していても使用者に息苦しさ等の不快感を与えることが無く、マスクが顔面に直接接触するのを防いで化粧落ちや肌荒れなどを抑制することができるマスクスペーサーを提供する。【解決手段】フック６を介して使用者の口や鼻とマスク２との間に挿入して、マスクが口や鼻と直接接触するのを防ぐマスクスペーサー１において、鼻を覆う部分に香りを発散するシート７を設けた。また、シートを交換可能とした。さらに、シートの表面に香料を含有したマイクロカプセルを付着させた。【選択図】図１
0003230661.tif 000002
【実用新案登録請求の範囲】
【請求項１】
マスクの使用者の口や鼻とマスクとの間に挿入して、マスクが口や鼻と直接接触するのを防ぐマスクスペーサーにおいて、
鼻を覆う部分に香りを発散するシートを設けたことを特徴とするマスクスペーサー。
【請求項２】
前記シートを交換可能としたことを特徴とする請求項１に記載のマスクスペーサー。
【請求項３】
前記シートの表面に香料を含有したマイクロカプセルを付着させたことを特徴とする請求項１又は請求項２に記載のマスクスペーサー。
【考案の詳細な説明】
【技術分野】
【０００１】
本考案は、マスクの使用者の口や鼻とマスクとの間に挿入して、マスクが口や鼻と直接接触するのを防ぐマスクスペーサーに関するものである。
【背景技術】
【０００２】
マスクの使用時には、マスクが口や鼻などに直接接触することから、化粧落ちや肌荒れなどの原因となっている。
【０００３】
そのため、マスク使用時にマスクが口や鼻などと直接接触するのを防ぐために、マスクの使用者の口や鼻とマスクとの間に挿入するマスクスペーサーが考案されている（特許文献１参照。）。
【先行技術文献】
【特許文献】
【０００４】
【特許文献１】実用新案登録第３２２８８３４号公報
【考案の概要】
【考案が解決しようとする課題】
【０００５】
上記従来のマスクスペーサーでは、マスクが口や鼻と直接接触するのを防ぐことができるものの、口と鼻とを覆っているために、口臭などの影響で不快感を感じるおそれがある。
【課題を解決するための手段】
【０００６】
そこで、請求項１に係る本考案では、マスクの使用者の口や鼻とマスクとの間に挿入して、マスクが口や鼻と直接接触するのを防ぐマスクスペーサーにおいて、鼻を覆う部分に香りを発散するシートを設けることにした。
【０００７】
また、請求項２に係る本考案では、前記請求項１に係る本考案において、前記シートを交換可能とすることにした。
【０００８】
また、請求項３に係る本考案では、前記請求項１又は請求項２に係る本考案において、前記シートの表面に香料を含有したマイクロカプセルを付着させることにした。
【考案の効果】
【０００９】
そして、本考案では、以下に記載する効果を奏する。
【００１０】
すなわち、本考案では、マスクの使用者の口や鼻とマスクとの間に挿入して、マスクが口や鼻と直接接触するのを防ぐマスクスペーサーにおいて、鼻を覆う部分に香りを発散するシートを設けることにしているために、使用者に爽快感を与えることができる。
【００１１】
特に、前記シートを交換可能とした場合には、シートを交換して使用することで長期間にわたって香りを発散させ続けることができ、また、使用者の嗜好に適したシートに交換することでより一層使用者に爽快感を与えることができる。
【００１２】
また、前記シートの表面に香料を含有したマイクロカプセルを付着させることにした場合には、使用時ごとにシートの上面を擦ることで破裂させたマイクロカプセルから香りを発散させることができ、長期間にわたって香りを発散させることができる。
【図面の簡単な説明】
【００１３】
【図１】本考案に係るマスクスペーサーの使用状態を示す説明図。
【図２】本考案に係るマスクスペーサーの正面図（ａ）、部分拡大断面図（ｂ）。
【考案を実施するための形態】
【００１４】
以下に、本考案に係るマスクスペーサーの具体的な構成について、図面を参照しながら説明する。
【００１５】
図１に示すように、マスクスペーサー１は、マスク２の使用者の口や鼻などの顔面とマスク２との間に挿入して使用される。顔面とマスク２との間にマスクスペーサー１を挿入することによって、使用者の口の前方や鼻の下方にスペースが形成され、マスク２を使用していても使用者に息苦しさ等の不快感を与えることが無く、しかも、マスク２が顔面に直接接触するのを防げ、化粧落ちや肌荒れなどを抑制することができる。
【００１６】
マスクスペーサー１は、図１及び図２に示すように、概略横長楕円状の外周枠３の中央部及び左右側部に補強フレーム4,5を形成し、中心部分を凸状に湾曲させた形状となっている。
【００１７】
また、マスクスペーサー１は、外周枠３の左右上部に、マスク２を挟んで引っ掛けるフック6,6を形成している。このフック6,6にマスク２を挟んで引っ掛けることで、マスクスペーサー１がマスク２からずれてしまうのを防止することができる。
【００１８】
さらに、マスクスペーサー１は、使用時に使用者の鼻を覆う（接触する）部分となる前方に向けて凸状の外周枠３の中央上部に、香りを発散するシート７を装着するためのシート装着部８を形成している。
【００１９】
シート装着部８は、外周枠３の中央上部に表裏貫通する左右一対の貫通孔9,9を形成するとともに、貫通孔9,9の表面側左右側部にシート７の端部を保持（挟持）する保持体10,10を形成している。
【００２０】
これにより、マスクスペーサー１は、シート装着部８の保持体10,10にシート７の両端を挿入することでシート７を外周枠３の中央上部（貫通孔9,9の表側）に交換可能に装着することができるようになっている。なお、マスクスペーサー１は、シート装着部８を設けてシート７を交換可能に装着できるようにすることが望ましいが、外周枠３の表面等にシート７を直接貼着するようにしてもよい。
【００２１】
シート７は、使用者に爽快感を与えたり、不快な臭気を打ち消すような消臭効果を発揮するような各種の香りを発散することができるものであればよい。
【００２２】
また、シート７は、シート７自体に香りを発散させる香料を浸透させたものであってもよく、シート７の表面に香料を付着（塗布）させたものであってもよい。
【００２３】
好ましくは、シート７は、表面に香料を含有した多量のマイクロカプセルを付着させたものがよい。この場合には、使用時ごとにシート７の上面（表面）を指等で擦ることで、マイクロカプセルを部分的に破壊させることができ、これにより、破裂させたマイクロカプセルから香りを発散させることができる。
【００２４】
以上に説明したように、上記マスクスペーサー１は、マスク２の使用者の鼻を覆う部分に香りを発散するシート７を設けた構成となっている。
【００２５】
そのため、上記構成のマスクスペーサー１では、マスク２の使用者の鼻の近傍のシート７から発散する香りによって使用者に爽快感を与えることができる。
【００２６】
また、上記マスクスペーサー１は、シート７を交換可能に構成している。
【００２７】
そのため、上記構成のマスクスペーサー１では、シート７を交換して使用することで長期間にわたって香りを発散させ続けることができ、また、使用者の嗜好に適したシート７に交換することでより一層使用者に爽快感を与えることができる。
【００２８】
また、上記マスクスペーサー１は、シート７の表面に香料を含有したマイクロカプセルを付着させた構成となっている。
【００２９】
そのため、上記構成のマスクスペーサー１では、使用時ごとにシート７の上面を擦ることで破裂させたマイクロカプセルから香りを発散させることができ、長期間にわたって断続的に香りを発散させることができる。
【符号の説明】
【００３０】
１  マスクスペーサー                ２  マスク
３  外周枠                          4,5  補強フレーム
６  フック                          ７  シート
８  シート装着部                    ９  貫通孔
10  保持体
【図１】
0003230661.tif 000003
【図２】
0003230661.tif 000004